(57)【要約】【課題】本発明の目的は、簡素な構成で蓋を開けて折り曲げることができる筆記具ケースを提供することである。【解決手段】開口部があり第１留め具が側壁部に設けられるケース本体と、前記開口部を開閉可能な蓋とを備え、前記蓋は、前記ケース本体に回動可能に接続し、開いた前記蓋が前記ケース本体に留められた状態である前記蓋の開状態では前記ケース本体に対して起きた状態となる第１蓋部と、前記第１蓋部に回動可能に接続し、前記蓋の開状態では、前記第１蓋部に対して外方側に折り返される第２蓋部とを備え、前記第２蓋部は、前記蓋の開状態において前記側壁部と対向する対向蓋部と、前記対向蓋部に設けられ前記蓋の開状態では磁力により前記第１留め具に吸着されることにより前記対向蓋部を前記側壁部に留める第２留め具とを備えることを特徴とする筆記具ケース。【選択図】図１
2020116051.tif 000002
【特許請求の範囲】
【請求項１】
開口部があり第１留め具が側壁部に設けられるケース本体と、
前記開口部を開閉可能な蓋とを備え、
前記蓋は、
前記ケース本体に回動可能に接続し、開いた前記蓋が前記ケース本体に留められた状態である前記蓋の開状態では前記ケース本体に対して起きた状態となる第１蓋部と、
前記第１蓋部に回動可能に接続し、前記蓋の開状態では、前記第１蓋部に対して外方側に折り返される第２蓋部とを備え、
前記第２蓋部は、
前記蓋の開状態において前記側壁部に対向する対向蓋部と、
前記対向蓋部に設けられ前記蓋の開状態では磁力により前記第１留め具に吸着されることにより前記対向蓋部を前記側壁部に留める第２留め具と
を備えることを特徴とする筆記具ケース。
【請求項２】
請求項１に記載の筆記具ケースにおいて、
前記第１蓋部は、第１境界領域を中心に前記ケース本体に対して回動し、
前記第２蓋部は、前記第１境界領域と平行な第２境界領域に沿って前記第１蓋部に対して折り返され、
前記第２境界領域は、前記蓋において前記第１境界領域側に寄った位置にあり、
前記第１留め具は、前記側壁部において前記第１境界領域と前記ケース本体の底部との間にあることを特徴とする筆記具ケース。
【請求項３】
請求項２に記載の筆記具ケースにおいて、
前記ケース本体および前記蓋は、前記第１境界領域と平行な方向に延びる長手状であることを特徴とする筆記具ケース。
【請求項４】
請求項１から請求項３のいずれか１つに記載の筆記具ケースにおいて、
前記蓋は、
可撓性があり縫い合わされる少なくとも２枚の生地と、
前記生地内に収容されて前記生地と共に前記第１蓋部を構成する第１芯材と、
前記生地内において前記第１芯材から離れた位置に前記第２留め具と共に収容されて前記生地および前記第２留め具と共に前記第２蓋部を構成する第２芯材と、を備え、
前記生地は、前記第１芯材および前記第２芯材の間に、前記第２蓋部を前記第１蓋部に対して回動可能に接続する第１接続部を備えることを特徴とする筆記具ケース。
【請求項５】
請求項１から請求項４のいずれか１つに記載の筆記具ケースにおいて、
前記側壁部は可撓性を有し、
可撓性を有する生地を備えて前記側壁部と前記第１蓋部とを回動可能に接続する第２接続部と、
前記開口部の縁および前記蓋の縁において前記第２接続部の領域を除く位置に取り付けられ、エレメントを備えるテープと、前記開口部側の前記エレメントおよび前記蓋側の前記エレメントを噛み合わせるスライダーとを備えるファスナーであって、閉まることで前記蓋を、前記開口部を閉塞する閉状態に保持するファスナーと、
を備えることを特徴とする筆記具ケース。
【請求項６】
開口部があり第１留め具が側壁部に設けられるケース本体と、
前記開口部を開閉可能な蓋とを備え、
前記蓋は、
第２留め具を備え、前記ケース本体に回動可能に接続し、開いた前記蓋が前記ケース本体に留められた状態である前記蓋の開状態では、前記ケース本体に対して外方側に折り返され、磁力による前記第２留め具の前記第１留め具への吸着により前記側壁部に留められる第１蓋部と、
第３留め具を備え、前記第１蓋部に回動可能に接続し、前記蓋の開状態では、前記第１蓋部に対して外方側に折り返され、磁力による前記第３留め具の前記第２留め具への吸着により前記第１蓋部に留められる第２蓋部とを備える
ことを特徴とする筆記具ケース。
【請求項７】
請求項６に記載の筆記具ケースにおいて、
前記蓋は、第４留め具を備え、前記第２蓋部に回動可能に接続し、前記蓋の開状態では、前記第２蓋部に対して外方側に折り返され、磁力による前記第４留め具の前記第３留め具への吸着により前記第２蓋部に留められる第３蓋部を備える
ことを特徴とする筆記具ケース。
【請求項８】
請求項６または請求項７に記載の筆記具ケースにおいて、
前記側壁部は可撓性を有し、
可撓性を有する生地を備えて前記側壁部と前記第１蓋部とを回動可能に接続する接続部と、
前記開口部の縁および前記蓋の縁において前記接続部の領域を除く位置に取り付けられ、エレメントを備えるテープと、前記開口部側の前記エレメントおよび前記蓋側の前記エレメントを噛み合わせるスライダーとを備えるファスナーであって、閉まることで前記蓋を、前記開口部を閉塞する閉状態に保持するファスナーと、
を備えることを特徴とする筆記具ケース。
【請求項９】
請求項６から請求項８のいずれか１つに記載の筆記具ケースにおいて、
前記第１蓋部は、第１境界領域に沿って前記ケース本体に対して折り返され、
前記第２蓋部は、前記第１境界領域と平行な第２境界領域に沿って前記第１蓋部に対して折り返され、
前記第１留め具は、前記側壁部において前記第１境界領域と前記ケース本体の底部との間にあり、
前記ケース本体および前記蓋は、前記第１境界領域と平行な方向に延びる長手状であることを特徴とする筆記具ケース。
【発明の詳細な説明】
【技術分野】
【０００１】
本発明は、筆記具ケースに関する。
【背景技術】
【０００２】
筆記具ケースにおいて、蓋を二つ折りできるものが知られている（例えば特許文献１）。図１５は、特許文献１の図１に符号を付したものであり、筆記具ケース１００の斜視図である。筆記具ケース１００では、蓋１１０の図１５中右端を開口部１２０の縁に沿って図１５中左側にスライドさせることで、蓋１１０の折曲部１３０が上方に持ち上がり、蓋１３０が折曲部１３０を中心に内側に向けて二つ折りされる。
【先行技術文献】
【特許文献】
【０００３】
【特許文献１】実開昭５７−１５２２８号公報
【発明の概要】
【発明が解決しようとする課題】
【０００４】
特許文献１の筆記具ケース１００では、蓋１１０の端部を開口部１２０の縁に沿ってスライドさせるための機構が必要であり、構成が複雑である。
【０００５】
本発明の目的は、簡素な構成で蓋を開けて折り曲げることができる筆記具ケースを提供することである。
【課題を解決するための手段】
【０００６】
本発明の要旨は以下のとおりである。
（１）開口部があり第１留め具が側壁部に設けられるケース本体と、
前記開口部を開閉可能な蓋とを備え、
前記蓋は、
前記ケース本体に回動可能に接続し、開いた前記蓋が前記ケース本体に留められた状態である前記蓋の開状態では前記ケース本体に対して起きた状態となる第１蓋部と、
前記第１蓋部に回動可能に接続し、前記蓋の開状態では、前記第１蓋部に対して外方側に折り返される第２蓋部とを備え、
前記第２蓋部は、
前記蓋の開状態において前記側壁部と対向する対向蓋部と、
前記対向蓋部に設けられ前記蓋の開状態では磁力により前記第１留め具に吸着されることにより前記対向蓋部を前記側壁部に留める第２留め具と
を備えることを特徴とする筆記具ケース。
（２）（１）に記載の筆記具ケースにおいて、
前記第１蓋部は、第１境界領域を中心に前記ケース本体に対して回動し、
前記第２蓋部は、前記第１境界領域と平行な第２境界領域に沿って前記第１蓋部に対して折り返され、
前記第２境界領域は、前記蓋において前記第１境界領域側に寄った位置にあり、
前記第１留め具は、前記側壁部において前記第１境界領域と前記ケース本体の底部との間にあることを特徴とする筆記具ケース。
（３）（２）に記載の筆記具ケースにおいて、
前記ケース本体および前記蓋は、前記第１境界領域と平行な方向に延びる長手状であることを特徴とする筆記具ケース。
（４）
（１）から（３）のいずれか１つに記載の筆記具ケースにおいて、
前記蓋は、
可撓性があり縫い合わされる少なくとも２枚の生地と、
前記生地内に収容されて前記生地と共に前記第１蓋部を構成する第１芯材と、
前記生地内において前記第１芯材から離れた位置に前記第２留め具と共に収容されて前記生地および前記第２留め具と共に前記第２蓋部を構成する第２芯材と、を備え、
前記生地は、前記第１芯材および前記第２芯材の間に、前記第２蓋部を前記第１蓋部に対して回動可能に接続する第１接続部を備えることを特徴とする筆記具ケース。
（５）（１）からまたは（４）のいずれか１つに記載の筆記具ケースにおいて、
前記側壁部は可撓性を有し、
可撓性を有する生地を備えて前記側壁部と前記第１蓋部とを回動可能に接続する第２接続部と、
前記開口部の縁および前記蓋の縁において前記第２接続部の領域を除く位置に取り付けられ、エレメントを備えるテープと、前記開口部側の前記エレメントおよび前記蓋側の前記エレメントを噛み合わせるスライダーとを備えるファスナーであって、閉まることで前記蓋を、前記開口部を閉塞する閉状態に保持するファスナーと、
を備えることを特徴とする筆記具ケース。
（６）開口部があり第１留め具が側壁部に設けられるケース本体と、
前記開口部を開閉可能な蓋とを備え、
前記蓋は、
第２留め具を備え、前記ケース本体に回動可能に接続し、開いた前記蓋が前記ケース本体に留められた状態である前記蓋の開状態では、前記ケース本体に対して外方側に折り返され、磁力による前記第２留め具の前記第１留め具への吸着により前記側壁部に留められる第１蓋部と、
第３留め具を備え、前記第１蓋部に回動可能に接続し、前記蓋の開状態では、前記第１蓋部に対して外方側に折り返され、磁力による前記第３留め具の前記第２留め具への吸着により前記第１蓋部に留められる第２蓋部とを備える
ことを特徴とする筆記具ケース。
（７）（６）に記載の筆記具ケースにおいて、
前記蓋は、第４留め具を備え、前記第２蓋部に回動可能に接続し、前記蓋の開状態では、前記第２蓋部に対して外方側に折り返され、磁力による前記第４留め具の前記第３留め具への吸着により前記第２蓋部に留められる第３蓋部を備える
（８）（６）または（７）に記載の筆記具ケースにおいて、
前記側壁部は可撓性を有し、
可撓性を有する生地を備えて前記側壁部と前記第１蓋部とを回動可能に接続する接続部と、
前記開口部の縁および前記蓋の縁において前記接続部の領域を除く位置に取り付けられ、エレメントを備えるテープと、前記開口部側の前記エレメントおよび前記蓋側の前記エレメントを噛み合わせるスライダーとを備えるファスナーであって、閉まることで前記蓋を、前記開口部を閉塞する閉状態に保持するファスナーと、
を備えることを特徴とする筆記具ケース。
（９）（６）から（８）のいずれか１つに記載の筆記具ケースにおいて、
前記第１蓋部は、第１境界領域に沿って前記ケース本体に対して折り返され、
前記第２蓋部は、前記第１境界領域と平行な第２境界領域に沿って前記第１蓋部に対して折り返され、
前記第１留め具は、前記側壁部において前記第１境界領域と前記ケース本体の底部との間にあり、
前記ケース本体および前記蓋は、前記第１境界領域と平行な方向に延びる長手状であることを特徴とする筆記具ケース。
【発明の効果】
【０００７】
本発明の筆記具ケースでは、蓋が少なくとも基端側の第１蓋部と、第１蓋部より先端側の第２蓋部とに分割されている。そのため、本発明では、蓋を開き、起きた状態の蓋を途中で折り返すことができる、すなわち第１蓋部を起立させ第１蓋部に対して第２蓋部を外方側に折り返すことができる。そして、本発明では、第２蓋部の対向蓋部を磁力により側壁部に留めることができる。
【０００８】
または、本発明では、蓋を基端部から外方側に折り返し、蓋を途中からさらに外方側に折り返すことができる。すなわち、第１蓋部を外方側に折り返し、第２蓋部を第１蓋部に対して外方側に折り返すことができる。そして、本発明では、これら第１、第２蓋部を磁力により側壁部に対してまとめて留めることができる。
【０００９】
従って、本発明では、第１蓋部とケース本体間、第１、第２蓋部間を回動可能とするとともに、第２蓋部の先端側、または第１、第２蓋部を磁力により側壁部に留める構成とするだけなので、簡単な構成で実現できる。また、本発明では、蓋を起こしてケース本体側で折り曲げてケース本体に留めるか、蓋を基端から折り曲げ、さらに途中で折り曲げてケース本体に留める。そのため、本発明では、蓋を起立させて真ん中で内側に二つ折りした状態で固定する構成に対し、ケース本体に留められた際の蓋の高さを低くする構成にできる。
【図面の簡単な説明】
【００１０】
【図１】蓋が開いた状態の筆記具ケースを示す正面側斜視図である。
【図２】蓋が閉まった状態の筆記具ケースを示す背面側斜視図である。
【図３】蓋が閉まった状態の筆記具ケースを示す正面側斜視図である。
【図４】蓋が閉まった状態の筆記具ケースを示す側面図である。
【図５】蓋が開いた様子を示す筆記具ケースの側面図である。
【図６】第２蓋部が折り返された状態を示す筆記具ケースの側面図である。
【図７】蓋が側壁部に留められた状態を示す筆記具ケースの側面図である。
【図８】第２実施形態の蓋を開けた状態の筆記具ケースの斜視図である。
【図９】蓋がケース本体に留められた状態を示す筆記具ケースの側面図である。
【図１０】第３実施形態の筆記具ケースの斜視図である。
【図１１】蓋が折り返された状態を示す筆記具ケースの側面図である。
【図１２】蓋が側壁部に留められた状態を示す筆記具ケースの側面図である。
【図１３】第４施形態の蓋が折り返された状態を示す筆記具ケースの側面図である。
【図１４】蓋が側壁部に留められた状態を示す筆記具ケースの側面図である。
【図１５】特許文献１の図１に符号を付したものであり、筆記具ケースの斜視図である。
【発明を実施するための形態】
【００１１】
（第１実施形態）
図１は、筆記具ケース１を示す斜視図である。
筆記具ケース１は、ペンや鉛筆等の筆記具を収容するためのものである。筆記具ケース１には、筆記具のほか、消しゴムや修正テープ、定規、付箋、記録メディア等を収容できる。
【００１２】
筆記具ケース１は、開口部２２１があり第１磁石２３（第１留め具）が側壁部２２に設けられるケース本体２と、開口部２２１を開閉可能な蓋３とを備える。図１は、筆記具ケース１において、開いた蓋３がケース本体２に留められた状態である蓋３の開状態を示している。ケース本体２は、底部２１および側壁部２２を備え、図１の上方向に開いた箱状である。ケース本体２内に筆記具等を収容できる。側壁部２２の上端部を含んで構成される開口部２２１は、底部２２と平行に開口する。
【００１３】
ケース本体２は、図１において左右方向に長い長手状である。以下、ケース本体２が伸びる図１の左右方向を長手方向と記載する。長手方向に直交し、かつ底部２１と平行な方向を幅方向と記載する。長手方向および幅方向と直交する方向を高さ方向と記載する。ケース本体２は、高さが幅方向の長さよりも短く、浅い箱状である。
【００１４】
底部２１は、略平面視矩形であり、外縁部が縫い合わされた内面用生地および外面用生地と、内面用生地および外面用生地に被覆された板状で腰のある芯材とを備える。内面用生地および外面用生地には適宜の素材を使用でき、例えばナイロンを使用できる。
【００１５】
側壁部２２は、底部２１の縁に縫い付けられており、底部２１の縁から立ち上がる。側壁部２２の高さは、例えばケース本体２内にボールペンを２本重ねて収容できる高さである。ケース本体２の高さは、適宜でよく、ボールペンを１本収容できる高さであってもよい。
【００１６】
側壁部２２は、側壁部本体２２２と、補強壁部２２３とを備える。側壁部本体２２２は、幅方向の一方側（図１中手前側）の側壁部２２、長手方向の両側の側壁部２２を構成する。また、側壁部本体２２２は、幅方向の他方側（図１中奥側）の側壁部２２における長手方向両側を構成する。側壁部本体２２２は、上端部および下端部が縫い合わされた内面用生地および外面用生地を備える。側壁部本体２２２内には、芯材が設けられていない。側壁部本体２２２は、可撓性を有するとともに、自立して起立する保形性を有する。
【００１７】
補強壁部２２３は、幅方向の他方側（図１中奥側）の側壁部２２において、長手方向における両端部を除いた部分を構成する。補強壁部２２３は、側壁部本体２２２よりも高さがある。補強壁部２２３の上端部には、蓋３が縫い付けられる。補強壁部２２３は、側面視矩形であり、互いに縫い付けられた内面用生地および外面用生地を備える。補強壁部２２３内には、芯材は設けられていない。側壁部本体２２２は、可撓性を有するとともに、自立して起立する保形性を有する。
【００１８】
補強壁部２２３の上端部は、底部２１と平行であり、補強壁部２２３と蓋３との境界領域Ａ１となる。蓋３は、境界領域Ａ１を中心に筆記具ケース１に対して回動する。換言すると、補強壁部２２３の上端部は、可撓性を有する生地を備えて側壁部２２と蓋部２２（後述する第１蓋部３１）とを回動可能に接続するヒンジ（第２接続部）として機能する。
【００１９】
補強壁部２２３の内部において、上側、かつ長手方向における両側と中央部には、第１磁石２３が設けられている（図２も参照）。第１磁石２３は、側壁部２２（補強壁部２２３）において境界領域Ａ１とケース本体２の底部２１との間にある。第１磁石２３（第１留め具）は、板状であり、内面用生地または外面用生地に接着剤等で取り付けられる。
【００２０】
開口部２２１の縁（側壁部本体２２２の上縁）および蓋３の縁において、補強壁部２２３の領域を除く位置には、エレメント４１を備えるテープ４２が取り付けられる。開口部２２１および蓋３のエレメント４２をスライダー４３で噛み合わせることで、蓋３を閉めることができる。テープ４２およびスライダー４３を備えてファスナー４が構成される。ファスナー４は、閉まることで、蓋３を、開口部２２１を閉塞する閉状態に保持する（図２，３参照）。
【００２１】
図２に示すように、蓋３は、平面視矩形の板状である。蓋３は、縁が縫い合わされる内面用生地および外面用生地を備える。蓋３において、境界領域Ａ１側に寄った位置には、内面用生地および外面用生地を縫い合わせる縫い目３３が、境界領域Ａ１と平行にある。蓋３の内側の空間は、縫い目３３によって区画され、境界領域Ａ１側の空間および境界領域Ａ１から離れる側の空間には、それぞれ各空間を平面視にておおよそ充足する芯材３１１，３２１（図３）が収容される。芯材３１１，３２１は、ボール紙であるものとするが、発泡樹脂シート等の適宜の材料を用いることができる。
【００２２】
蓋３は、縫い目３３を境に境界領域Ａ１側の部位である第１蓋部３１と、縫い目３３を境に境界領域Ａ１から離れる側の部位である第２蓋部３２とを備える。第１蓋部３１は、境界領域Ａ１を介してケース本体２に回動可能に接続する。第１蓋部３１内の芯材３１１が、内面用生地および外面用生地内に収容されて前記生地と共に第１蓋部３１を構成する第１芯材である。
【００２３】
蓋３の内面側（裏面側）において、長手方向における他方側（図２中左側）には、長手方向における一方側（図２中右側）が開くように生地３４が縫い付けられる。生地３４は、縫い目３３によっても蓋３３に縫い付けられる。これにより、第１蓋部３１の内面側にポケット３１２が形成される（図１も参照）。ポケット３１２には、クリップ等を差し込むことができる。また、第２蓋部３２の内面側にポケット３２２が形成される。ポケット３２２には、定規等を差し込むことができる。
【００２４】
図３に示すように、蓋３の生地において、芯材３１１，３２１の間の縫い目３３を含む領域Ａ２は、第１蓋部３１および第２蓋部３２の境界領域Ａ２であり、第２蓋部３２を第１蓋部３１に対して回動可能に接続するヒンジ（第１接続部）として機能する。
【００２５】
第２蓋部３２内において、長手方向の両側および中央部には、第２磁石３２３（第２留め具）が設けられる。各第２磁石３２３は、例えば第２蓋部３２内の芯材３２１上、または芯材３２１のくり抜いた位置に取り付けられる。芯材３２１が、内面用生地および外面用生地内において前記芯材３１１から離れた位置に第２磁石３２３と共に収容されて前記生地および第２磁石３２３と共に第２蓋部３２を構成する第２芯材である。
【００２６】
蓋３がケース本体２に留められる開状態の際に、第２蓋部３２の幅方向における先端側は側壁部２２と重なる（図７も参照）。この部位を対向蓋部３２４と記載する。第２磁石３２３は、対向蓋部３２４にある。
【００２７】
以下、筆記具ケース１による蓋３の開閉動作を説明する。筆記具ケース１は、最初、図４に示すように、ファスナー４が閉まり、蓋３が開口部２２１を閉塞する閉状態になっているものとする。使用者は、ファスナー４を開け、蓋３の先端側の第２蓋部３２を押し上げて蓋３を開く。
【００２８】
使用者は、図５に示すように、第２蓋部３２を補強壁部２２２の外面に当接するように外側に折り返していく。この際、第１蓋部３１は、蓋３の基端の境界領域Ａ１を中心に回動する。第２蓋部３２は、蓋３の途中の境界領域Ａ２に沿って折り返されていく。第２蓋部３２の方が、第１蓋部３１よりも先行して回動しやすい。図６に示すように、第２蓋部３２が境界領域Ａ２に沿って第１蓋部３１に対して折り返される状態では、第１蓋部３１は、ケース本体２に対して起きた状態となる。
【００２９】
図７に示すように、さらに第２蓋部３２が折り返されると、第２蓋部３２内の各第２磁石３２３は、補強壁部２２２内の対応する各第１磁石２３の正面側に位置する。各第２磁石３２３は、各第１磁石２３に磁力により吸着され、これにより、第２蓋部３２の先端側の対向蓋部３２４を、補強壁部２２２に留める。このようにして、蓋３は、補強壁部２２２に留められる開状態となる。前述したように、蓋３の開状態では、第１蓋部３１は、ケース本体２に対して起きた状態となる。
【００３０】
蓋３を閉める際には、使用者は、上記の動作と反対の動作を行う。使用者は、第２蓋部３２の対向蓋部３２４を指で引っ掛けて持ち上げ、第２蓋部３２を補強壁部２２２から離す。使用者は、第２蓋部３２を、ケース本体２の内方側に折り返す。第２蓋部３２の先端部が側壁部２２上に乗り、蓋３は、開口部２２１を閉塞する閉状態となる。使用者は、ファスナー４を閉める。これにより、筆記具ケース１を持ち運ぶことが可能となる。
【００３１】
（効果）
実施形態の筆記具ケース１では、蓋３の先端側の第２蓋部３２を蓋３の基端側の第１蓋部３１に対して折り返すことができ、かつ第１蓋部３１がケース本体２に回動可能に接続される。また、第２蓋部３２の先端部である対向蓋部３２４を、第２磁石３２３により側壁部２２に吸着させることができる。このように、実施形態では、簡素な構成で蓋３を二つ折りでき、側壁部２２に留めることができる。
【００３２】
蓋３の途中の折り曲げ部位である境界領域Ａ２は、蓋３とケース本体２との折り曲げ部位である境界領域Ａ１側に寄っている。そのため、蓋３の開状態では、第２蓋部３２の先端側の対向蓋部３２４が側壁部２２に対向することとなる。この対向蓋部３２４の分、二つ折りした蓋３の高さを、中央で蓋３を二つ折りする場合に比べて低くできる。
【００３３】
蓋３は、ケース本体３の幅方向の側壁部２２に回動可能に接続するので、長手方向の側壁部２２に接続する場合に比べて、回動中心である第１境界領域Ａ１に対する径方向の長さを短くできる。
【００３４】
実施形態では、蓋３の生地内に芯材３１１，３２１を離して設け、芯材３１１の収容部分を第１蓋部３１とするとともに、芯材３２１の収容部分を第２蓋部３２としている。そして、生地における芯材３１１，３２１間を、第１蓋部３１と第２蓋部３２とを回動可能に接続する第１接続部（境界領域Ａ２）としている。そのため、実施形態は、第１、第２蓋部３１、３２の接続部分の構成を簡素にできる。
【００３５】
補強壁部２２３の蓋３との境界領域Ａ１の生地が、側壁部２２と蓋３とを接続する第２接続部として機能するので、実施形態では、側壁部２２と蓋３との接続部分の構成を簡素にできる。側壁部２２が可撓性を有し、側壁部２２の縁と蓋３の縁とをファスナー４で接続するので、筆記具ケース１を柔らかい構成にできる。
【００３６】
（第２実施形態）
図８は、蓋３Ａを開けた状態の筆記具ケース１Ａの斜視図である。
筆記具ケース１Ａは、鉛筆削り９１や、斜めに持ち上がる鉛筆ホルダー９２等の複数のギミックを備えるいわゆる小学生向けのものである。筆記具ケース１Ａは、高さ方向の両面に蓋３Ａ，３０Ａを備え、蓋３Ａ，３０Ａが閉まった状態では、長手状、かつ直方体形状である。
【００３７】
ケース本体２Ａは、合成樹脂で形成され、鉛筆ホルダー９２が設置された表側に開口部２２１Ａを備える。蓋３Ａは、ケース本体２Ａの幅方向の一方側（図８中上側）の側壁部２２Ａに、不図示のヒンジ（第２接続部）により回動可能に接続し、開口部２２１Ａを開閉する。ヒンジは、蓋３Ａの基端部の長手方向両端部から長手方向両側に突出する軸部と、ケース本体２Ａに設けられ、前記軸部を回動可能に保持する保持部とを備える。ケース本体２Ａの幅方向における他方側（図８中下側）において、長手方向中央部には磁石２９Ａがある。この磁石２９Ａに、蓋３Ａの先端部における長手方向中央部に取り付けられた第２磁石３２３Ａが吸着されることで、蓋３Ａは閉まった状態に保持される。
【００３８】
蓋３Ａは、長手方向に延びる板状の第１蓋部３１Ａと第２蓋部３２Ａを備える。第１蓋部３１Ａは、蓋３Ａの基端側の部位であり、蓋３と側壁部２２Ａとの境界領域Ａ１を中心に回動する。境界領域Ａ１は、長手方向に延びている。
【００３９】
第２蓋部３２Ａは、第１蓋部３１Ａに不図示のヒンジにより回動可能に接続する。ヒンジは、第２蓋部３２Ａの基端部の長手方向両端部から長手方向両側に突出する軸部と、第１蓋部３１Ａに設けられ、前記軸部を回動可能に保持する保持部とを備える。第２蓋部３２Ａは、蓋３Ａの先端側の部位であり、ヒンジにより、第１蓋部３１Ａとの間の境界領域Ａ２を中心に回動する。境界領域Ａ２は、蓋３Ａにおいて境界領域Ａ１側に寄った位置にあり、境界領域Ａ１と平行である。
【００４０】
図９は、蓋３Ａがケース本体２Ａに留められた状態を示す筆記具ケース１Ａの側面図である。
第２蓋部３２Ａの先端側の部位は、第２蓋部３２Ａが折り返された際に側壁部２２Ａと対向する対向蓋部３２４Ａである。第２磁石３２３Ａは、断面視コ字状であり、対向蓋部３２４Ａの先端部に対向蓋部３２４Ａを挟みこんだ状態で設けられている。本体ケース２Ａの長手方向一方側（図９中左側）の側壁部２２Ａには、第１磁石２３Ａが設けられている。
【００４１】
蓋３Ａを開け、第２蓋部３２Ａを第１蓋部３１Ａに対してケース本体２Ａの外方側に折り返すと、第１蓋部３１Ａがケース本体２Ａに対して起きた状態となるとともに、対向蓋部３２４Ａが側壁部２２Ａに対向した状態になる。そして、対向蓋部３２４Ａの第２磁石３２３Ａが側壁部２２Ａの第１磁石２３Ａに吸着されることにより、第２蓋部３２Ａが側壁部２２Ａに留められる。
【００４２】
（第３実施形態）
図１０は、筆記具ケース１Ｂの斜視図である。
筆記具ケース１Ｂのケース本体２Ｂは、第１実施形態のケース本体２Ａと同様の構成を有しており、側壁部２２Ｂを備える。側壁部２２Ｂは、側壁部本体２２２Ｂと補強壁部２２３Ｂとを備える。補強壁部２２３Ｂ内の第１磁石２３Ｂは、補強壁部２２３Ｂの長手方向に亘る。ケース本体２Ｂ（補強壁部２２３Ｂ）の高さは、後述の第１蓋部３１Ｂ〜第３蓋部３９のいずれの幅よりも大きくなっている。
【００４３】
蓋３Ｂとケース本体２Ｂとは補強壁部２２３Ｂによって回動可能に接続される。補強壁部２２３Ｂの上端部が、可撓性を有する生地を備えて側壁部２２Ｂと第１蓋部３１Ｂとを回動可能に接続する接続部として機能する。また、第１蓋部３１Ｂは、該上端部である境界領域Ａ１に沿ってケース本体２Ｂに対して折り返される。第１磁石２３Ｂは、補強壁部２２３Ｂにおいて第１境界領域Ａ１とケース本体２Ｂの底部２１Ｂとの間にある。蓋３Ｂとケース本体２Ｂは第１境界領域Ａ１と平行な方向に延びる長手状である。
【００４４】
蓋３Ｂには、内面生地および外面生地を縫い合わせる縫い目３３１，３３２が、幅方向に間隔をあけて長手方向に亘って設けられている。縫い目３３１の方が境界領域Ａ１に近い位置にある。縫い目３３１，３３２によって、蓋３Ｂ（および蓋３の内部空間）は、幅方向の長さが略均等な部位に３分割される。蓋３Ｂの各分割部位を、境界領域Ａ１側である蓋３Ｂの基端側から第１蓋部３１Ｂ、第２蓋部３２Ｂ、第３蓋部３９と記載する。
【００４５】
第１蓋部３１Ｂ内には、板状で第１磁石２３Ｂと同様の長さの第２磁石３１１が収容される。第２磁石３１１は、後述する留め具としての機能のほか、第１蓋部３１Ｂの芯材としても機能する。同様に、第２蓋部３２Ｂ内には、板状で第１磁石２３Ｂと同様の長さの第３磁石３２５が収容される。第３蓋部３９内には、板状で第１磁石２３Ｂと同様の長さの第４磁石３９１が収容される。
【００４６】
蓋３Ｂの生地において、第２、第３磁石３１１，３２５の間の縫い目３３１を含む領域Ａ２は、第１蓋部３１Ｂおよび第２蓋部３２Ｂの境界領域Ａ２であり、第２蓋部３２Ｂを第１蓋部３１Ｂに対して回動可能に接続するヒンジ（接続部）として機能する。同様に、蓋３Ｂの生地において、第３、第４磁石３２５，３９１の間の縫い目３３２を含む領域Ａ３は、第２蓋部３２Ｂおよび第３蓋部３９の境界領域Ａ３であり、第３蓋部３９を第２蓋部３２に対して回動可能に接続するヒンジ（接続部）として機能する。境界領域Ａ１〜Ａ３は、平行である。
【００４７】
蓋３Ｂが開口部２２１Ｂ（図１１）を閉塞する蓋３Ｂの閉状態にある筆記具ケース１Ｂを使用する際には、使用者は、まず、ファスナー４Ｂを開け、図１１のように蓋３Ｂをケース本体２Ｂの外方側へ開ける。
【００４８】
すると、図１２のように、蓋部３Ｂは、第１〜第４磁石２３Ｂ，３１１，３２５、３９１の作用により、蛇腹状に折り畳まれた状態で側壁部２２Ｂに吸着される。具体的には、第１蓋部３１Ｂは、ケース本体２Ｂに対して外方側に折り返され、磁力による第２磁石３１１の第１磁石２３Ｂへの吸着により側壁部２２Ｂに留められる。第２蓋部３２Ｂは、第１蓋部３１Ｂに対して外方側に折り返され、磁力による第３磁石３２５の第２磁石３１１への吸着により第１蓋部３１Ｂに留められる。第３蓋部３９は、第２蓋部３２Ｂに対して外方側に折り返され、磁力による第４磁石３９１の第３磁石３２５への吸着により第２蓋部３２Ｂに留められる。
【００４９】
本実施形態では、蓋３を折り畳んだ状態で側壁部２２Ｂの側方に留めることができる。そのため、蓋３Ｂがケース本体２Ｂより上方に出ることがなく、蓋３Ｂを開けた状態の筆記具ケース１Ｂを非常にコンパクトにできる。
【００５０】
（第４実施形態）
図１３は、筆記具ケース１Ｃを模式的に示す側面図である。
筆記具ケース１Ｃは、第３実施形態の筆記具ケース１Ｂと同様の構成を有するが、筆記具ケース１Ｂでは、蓋３Ｂを３つ折りできたところ、筆記具ケース１Ｃでは、蓋３Ｃを中央で二つ折りできるようになっている。第１蓋部３１Ｃが第２磁石３１１を芯材とし、第２蓋部３２Ｃが第３磁石３２５を芯材とする点等は、第３実施形態と同様である。ケース本体２Ｃの高さは、第１、第２蓋部３１Ｃ、３２Ｃの幅より若干大きくなっている。蓋３Ｃが接続する側の側壁部２２Ｃ（補強壁部２２３Ｃ）内には、長手方向に亘って第１磁石２３Ｃが収容されている。
【００５１】
本実施形態でも、蓋３Ｃをケース本体２Ｃの外方側に開けることで、図１４に示すように、第１〜第３磁石２３Ｃ，３１１，３２５の作用により、第１、第２蓋部３１Ｃ，３２Ｃを折り畳んだ状態で側壁部２２Ｃに留めることができる。なお、第２蓋部３２Ｃは第１蓋部３１Ｃに対して外方側に折り曲げられる。
【００５２】
（変形例）
第１実施形態において、第１磁石２３は、側壁部２２の上部に設けられていたが、側壁部２２の上下方向におけるどの位置に設けられていてもよい。第1実施形態において、第１磁石２３は、長手方向に３つ設けられていたが、補強壁部２２３の長手方向に亘っていてもよいし、蓋３が接続する側壁部２２の長手方向に亘っていてもよいし、長さは任意である。また、第１磁石２３の上下方向の長さも任意であり、例えば補強壁部２３内の上下方向に亘った長さを有していてもよい。第２磁石３２３や、他の実施形態の磁石も同様、大きさや配置は適宜に設定できる。蓋３は、側壁部２２に留められた際に、先端が側壁部２２の中央部に至る長さであったが側壁部２２の下端にまで至る長さであってもよい。
【００５３】
第３実施形態の蓋部３Ｂは、第１〜第３蓋部３１Ｂ，３２Ｂ，３９の少なくともいずれかが側壁部２２Ｂより上方に出てもよい。第４実施形態の蓋部３Ｃも同様に、第１、第２蓋部３１Ｃ，３２Ｃの少なくともいずれかが側壁部２２Ｃより上方に出てもよい。
【００５４】
蓋部３，３Ａ〜３Ｃを側壁部２２，２２Ａ〜２２Ｃに留めるために使用する留め具として磁石同士を吸着させる方法を例示したが、留め具として磁石と磁性体を使用してもよい。
【００５５】
第２蓋部３２，３２Ａは、第１蓋部３１、３１Ａの長手方向の全域に亘っていたが、第１蓋部３１、３１Ａの長手方向の一部に対してのみ接続していてもよい。例えば、第１蓋部は凹状に形成され、第１蓋部の中央の部分に第２蓋部が配置され、第２蓋部の基端側（第１蓋部とケース本体との境界領域側）が第１蓋部に回動可能に接続されていてもよい。
【００５６】
第３、第４実施形態では蓋３Ｂ，３Ｃが蛇腹状に三つ折りまたは二つ折りされて側壁部２２Ｂ，２２Ｃに留められる例を示したが、蓋は４つ折り以上されて側壁部に留められてもよい。
【００５７】
ケース本体２、２Ａ〜２Ｃや開口部２２１，２２１Ａ〜２２１Ｃの形状は、適宜の形状でよい。例えば開口部２２１，２２１Ａ〜２２１Ｃは円状や楕円状、多角形状であってもよい。開口部２２１，２２１Ａ〜２２１Ｃは、底部２１，２１Ｂと平行でなくてよく斜めであってもよい。
【００５８】
本発明は、その特徴から逸脱することなく、実施形態で実施できる。実施形態、変形例、効果は単なる例示であり、本発明を限定するものとして解釈されるべきではない。実施形態および変形例の特徴、構造は、追加でき、また代替の構成を得るために様々な方法で組み合わせることができる。
【符号の説明】
【００５９】
１，１Ａ〜１Ｃ…筆記具ケース、２，２Ａ〜２Ｃ…ケース本体、３，３Ａ〜３Ｃ…蓋、４、４Ｂ…ファスナー、２３，２３Ａ〜２３Ｃ…第１磁石（第１留め具）、２１，２１Ｂ…底部、２２，２２Ａ〜２２Ｃ…側壁部、３１，３１Ａ〜３１Ｃ…第１蓋部、３２，３２Ａ〜３２Ｃ…第２蓋部、３９…第３蓋部、４１…エレメント、４２…テープ、２２１，２２１Ａ〜２２１Ｃ…開口部、３１１…芯材（第１芯材）、３２１…芯材（第２芯材）、３２３，３２３Ａ…第２磁石（第２留め具）、３２４，３２４Ａ…対向蓋部、３２５…第３磁石（第３留め具）、３９１…第４磁石（第４留め具）、Ａ１…境界領域（第１境界領域）、Ａ２…境界領域（第２境界領域）。
【図１】
2020116051.tif 000003
【図２】
2020116051.tif 000004
【図３】
2020116051.tif 000005
【図４】
2020116051.tif 000006
【図５】
2020116051.tif 000007
【図６】
2020116051.tif 000008
【図７】
2020116051.tif 000009
【図８】
2020116051.tif 000010
【図９】
2020116051.tif 000011
【図１０】
2020116051.tif 000012
【図１１】
2020116051.tif 000013
【図１２】
2020116051.tif 000014
【図１３】
2020116051.tif 000015
【図１４】
2020116051.tif 000016
【図１５】
2020116051.tif 000017